(57)【要約】      （修正有）【課題】容器の分離結合が可能で、結合したままの状態で複数の調味料を使用でき、正確に一定量の調味料を計量し注出できる調味料容器を提供する。【解決手段】容器部２と蓋部１を備える調味料容器であって、蓋部に、可動式仕切り４，５を蓋底３の方向に動かして調味料をすり切り、計量できる仕切り機構を有する。また、容器部は同一形状の複数の容器から構成され、夫々の容器には結合部である凸部９を有し、この結合部によって他の容器と結合または離脱できる。【選択図】図１
0003192496.tif 000002
【実用新案登録請求の範囲】
【請求項１】
容器部と蓋部を備える調味料容器であって、容器部又は蓋部には調味料を計量する仕切り機構を有し、容器部には同一形状の複数の容器から構成され、夫々の容器には結合部を有し、結合部によって容器が他の容器と結合または離脱できることを特徴とする調味料容器。
【考案の詳細な説明】
【技術分野】
【０００１】
本考案は、ソースや醤油などの液体調味料及び、塩や胡椒などの粉末調味料を入れる調味料容器であって、容器が分離・結合可能且つ計量機能を有する調味料容器に関するものである。
【背景技術】
【０００２】
従来の調味料容器は、１つの容器につき１種類の調味料を入れるというものが一般的である。しかし調味料の種類は多いため、キッチンや食卓でスペースを取り、持ち運びに不便であった。
この問題に対し、調味料容器内に仕切り板を設けることにより２種類以上の調味料が入れられるものや（例えば特許文献１）、複数の調味料容器で構成され、それぞれを分離・再結合できるものもある（例えば特許文献２）。
【先行技術文献】
【特許文献】
【０００３】
【特許文献１】実用新案登録第３１２１８５３号公報
【特許文献２】実用新案登録第３０９７３３６号公報
【考案の概要】
【考案が解決しようとする課題】
【０００４】
しかし特許文献１に記載された調味料入れは、１つの容器を仕切り板によって分けたものであるため、容器を分離することができない。そのため、使い切った調味料のスペースの洗浄や調味料の補充がしにくく、調味料を使いきるまで調味料の組み合わせを変えることができないという欠点があった。そして、特許文献２に記載された調味料入れは、容器を縦に重ねて結合させるため、結合したままの状態で複数の調味料を使用することができないという欠点があった。
また、従来の計量器には、計量カップや計量スプーンがあるが、これらは調味料容器と別々であるため、調味料を計量器に入れて計量する必要があり、洗い物が増えるという欠点があった。
本考案は上記の問題点に着目し、容器の分離結合が可能で、結合したままの状態で複数の調味料を使用でき、正確に一定量の調味料を計量し注出する調味料容器の提供を課題としている。
【課題を解決するための手段】
【０００５】
上記課題を解決するために、本考案の或る態様に係る調味料容器は、容器部と蓋部を備える調味料容器であって、蓋部には調味料を計量する仕切り機構を有し、容器部には同一形状の複数の容器から構成され、夫々の容器には結合部を有し、結合部によって容器が他の容器と結合または離脱できることを特徴とする調味料容器。
【考案の効果】
【０００６】
複数の調味料を結合して一つの容器として扱うことができ、結合したままの状態で複数の調味料を使用できる。それによって、複数の調味料を取り替える手間が省け、食卓や調理場の煩雑さが解消される。分離も可能なため、使い終わった調味料のスペースを洗浄でき、補充しやすい。また必要に応じて調味料の組み合わせ、数を任意に変えることができる。
蓋部内の調味料を計量する仕切り機構によって、計量スプーン等を用いずに小さじ一杯、大さじ一杯分の調味料を計量できるため、洗い物が少なくなる。また、零すなどして手を汚すことも無くなる。
【図面の簡単な説明】
【０００７】
【図１】本考案の第１実施態様の容器全体の側面図。
【図２】本考案の第１実施態様の容器の上面図。
【図３】本考案の第２実施態様の容器全体の側面図。
【図４】本考案の第２実施態様の容器の仕切りの上面図。
【図５】本考案の第２実施態様の分割された容器の全体図。
【図６】本考案の第２実施態様の結合された容器の上面図。
【図７】本考案の第３実施態様の結合された容器の全体図。
【図８】本考案の第３実施態様の分割された容器の全体図。
【図９】本考案の第３実施態様の容器の蓋部の全体図。
【図１０】本考案の第３実施態様の容器の蓋部の全体図。
【図１１】本考案の第３実施態様の容器の蓋部の全体図。
【図１２】本考案の第４実施態様の分割された容器の全体図。
【図１３】本考案の第４実施態様の分割された容器の全体図。
【図１４】本考案の第４実施態様の分割された容器の全体図。
【図１５】本考案の第４実施態様の結合される容器の全体図。
【考案を実施するための形態】
【０００８】
（第１の実施形態）
本考案の第１の実施態様を図１、図２に示す。図１、２によると、蓋（１）と容器（２）の結合面が斜面状にされている。そして、蓋（１）に計量する空間を作るため、蓋底（３）が設けられている。例えば、小さじ一杯分ですりきるための可動式仕切り（４）、大さじ一杯分ですりきるための可動式仕切り（５）が設けられている。
使い方として、容器を傾けて調味料を蓋（１）の計量部（３）〜（８）に満たし、小さじ一杯分ならば可動式仕切り（４）を、大さじ一杯分なら可動式仕切り（５）を蓋底（３）の方向に動かすことで調味料のすり切りを行う。可動式仕切り（４）、可動式仕切り（５）を蓋底（３）の方向に動かしてすり切りを行う際、仕切りと蓋底（３）の隙間から漏れないよう、ストッパー（６）を設けている。すり切りを行った後、計量した調味料は注出口（７）から注出される。注出口（７）には注出口蓋（８）を設け、計量時に調味料が出ないようにする。
容器（２）には他の調味料を入れた同構造の容器と結合できるよう、結合部である凸部（９）が設けられている。結合される他の容器には、凸部（９）の形状に対応した凹部が設けられている。
【０００９】
（第２の実施形態）
本考案の第２の実施態様を図３〜６に示す。本考案の特徴である計量機能は、蓋（１）に設けられている。具体的には、蓋（１）に仕切り（４又は５）をつけ、仕切りには穴（１０）をつける。仕切り上に、仕切り面に対して平行に移動するスライド部（１１）を取り付ける。仕切りとスライド部は密着している。スライド部には別々に同じ大きさの穴（１０Ａ）をつける。仕切り開閉つまみ（１２）を左右にスライドさせることで、穴（１０）と穴（１０Ａ）が重なると開状態になり、内容物は仕切りを自由に出入りできる。穴（１０）と穴（１０Ａ）が完全にずれると閉状態になり、仕切りで遮断される構造とする（図４参照）。
【００１０】
調節機能を使用しないときは、仕切り開閉つまみ（１２）を動かし、予め、仕切りを開状態にし、注出口開閉ボタン（１３）を押したまま傾ければ通常の調味料容器として使える。調節機能を使用するときは仕切りを開状態にした後、蓋側が下になるように、容器を逆さまにする。次に、小さじ１杯分計量したいときは仕切り（４）を、大さじ１杯分計量したいときは仕切り（５）のつまみを閉側にスライドさせる。そして再び蓋側を上にし、注出口開閉ボタン（１３）を押したまま傾けると計量した分の量を出せる。
容器を結合させる方法としては、それぞれの容器の側面に凸部（９）と凹部（９Ａ）を設け、隣り合う容器の凹凸同士を嵌めこむようにして結合させる。分離させるときは、分離させたい容器を持って強めに引っ張れば外れる。蓋に指を引っかけるくぼみを付けておくと、引っ張りやすく便利である。
【００１１】
（第３の実施形態）
本考案の第３の実施態様を図７〜１１に示す。２種以上の調味料容器を分離、結合可能することができるように、容器を半円柱もしくは三角錐型にした。個々の容器側面にフックや凹凸をつけることで隣接する容器を結合することができる（図８参照）。個々の容器を独立させることで単一でも使用可能出来る構造とする。単一の構造とすることで、個々の容器としても使用することができると共に、容器の洗浄や調味料の補充を容易にすることができる。また、蓋に注出口（７）のような調味料の口を取り付けることで、計量容器としてだけでなく、調味料さしとしても使用することが可能である。
【００１２】
容器の蓋には回転軸（１４）がついており、回転軸には仕切り板（４又は５）がついている。これは穴（１０）のふたの役割となる部分であり、軸を回転させて板を穴の位置に移動させることで穴が仕切られ、調味料をすり切ることができる。これにより調味料の流入を防ぐごとができ、計量したい量で仕切りをすることで計量することができる。穴の大きさを変えることで仕切りは、小さじ用の仕切り（４）にも、大さじ用の仕切り（５）にも使用することができる（図１０、図１１参照）。また、穴を塞がないことで調味料さしとして使用することができる。
【００１３】
（第４の実施形態）
本考案の第４の実施態様を図１２〜１５に示す。使い方としては、以下の通りである。まず、上部の蓋（１）を開け、調味料を容器本体（２）に入れ、蓋を閉める。次に、計量したい目盛に対応した仕切り板の開閉つまみ（１２）を右方向にスライドさせ、調味料をすりきる(図１２)。図１２でスライドさせたつまみを更に下方向へスライドさせる。その際、点線部で示した開閉部（１５）が開く(図１３)。更に、容器を傾けると、開閉部から出た調味料が調味料排出通路（１６）を通り、調味料注出口（７）から計量された調味料が排出される(図１４)。 以上の様に、第４の実施態様では、計量機能が容器部に備えられている点が、第１〜第３実施態様と異なる。
また、分離して使用する場合は、容器本体中央部のフック（１７）をはずすことにより、個別の容器へ分離することができる。また、再結合する場合は、フックを引っ掛けることにより個別の容器を繋げることができる（図１５）。
【符号の説明】
【００１４】
１．蓋、２．容器、３．蓋底、４．小さじ用仕切り、５．大さじ用仕切り、６．ストッパー、７．注出口、８．注出口蓋、９．凸部、９Ａ．凹部、１０．穴、１１．スライド部、１２．開閉つまみ、１３．開閉ボタン、１４．回転軸、１５．開閉部、１６．排出通路、１７．フック
【図１】
0003192496.tif 000003
【図２】
0003192496.tif 000004
【図３】
0003192496.tif 000005
【図４】
0003192496.tif 000006
【図５】
0003192496.tif 000007
【図６】
0003192496.tif 000008
【図７】
0003192496.tif 000009
【図８】
0003192496.tif 000010
【図９】
0003192496.tif 000011
【図１０】
0003192496.tif 000012
【図１１】
0003192496.tif 000013
【図１２】
0003192496.tif 000014
【図１３】
0003192496.tif 000015
【図１４】
0003192496.tif 000016
【図１５】
0003192496.tif 000017
【手続補正書】
【提出日】平成26年6月5日(2014.6.5)
【手続補正１】
【補正対象書類名】実用新案登録請求の範囲
【補正対象項目名】全文
【補正方法】変更
【補正の内容】
【実用新案登録請求の範囲】
【請求項１】
容器部と蓋部を備える調味料容器であって、
容器部又は蓋部には可動式仕切りにより調味料をすりきることで計量する仕切り機構を有し、
容器部には同一形状の複数の容器から構成され、夫々の容器には結合部を有し、
結合部によって容器が他の容器と結合または離脱できることを特徴とする調味料容器。
【手続補正２】
【補正対象書類名】明細書
【補正対象項目名】０００５
【補正方法】変更
【補正の内容】
【０００５】
上記課題を解決するために、本考案の或る態様に係る調味料容器は、容器部と蓋部を備える調味料容器であって、容器部又は蓋部には可動式仕切りにより調味料をすりきることで計量する仕切り機構を有し、容器部には同一形状の複数の容器から構成され、夫々の容器には結合部を有し、結合部によって容器が他の容器と結合または離脱できることを特徴とする調味料容器。